(57)【特許請求の範囲】
【請求項１】
板状の清掃具本体２上に清掃シート３を固定するシート固定部Ａが設置され、清掃具本体２の底面に巻き付けられた清掃シート３の端部をシート固定部Ａにて保持させる如く構成した清掃具に於いて、上記シート固定部Ａを、本体２上面前後縁部を横断して凹設した前後一対の凹溝ａと、清掃具本体２両側前後方向中央部に各々一端を枢着した回動側板6aの先端間に係止板6bを一体に掛け渡すとともに、各係止板6bにより凹溝ａ内にシート３の各先端部を押し込み挟持する如く構成してなる前後一対の係止腕６とで構成し、上記清掃具本体２上面中央部に立設した嵌合筒部５内に嵌合させ、且つ、外面を球面状に膨出形成させた円筒状の嵌合部11を下端に延設した柄４を設け、嵌合筒部５外周に嵌合させた周壁12上端縁より延設したフランジ状頂板13内周縁を、嵌合部11外面の上端より下方へ離間した位置に、嵌合部の抜け出しが不能に当接させ、且つ、頂板13内側面を上方へ広がるテーパ面ｅとしたキャップ10を設けてなることを特徴とする清掃具。
【請求項２】
上記各係止板6bの下面をギザギザ凹凸部ｃに構成してなる請求項１記載の清掃具。
【発明の詳細な説明】
【０００１】
【発明の属する技術分野】
本発明は清掃具に関する。
【０００２】
【従来の技術】
清掃具として、例えば、実開平６−６２９６０号に記載されたものがある。
【０００３】
この清掃具は、上面中央より棒状の柄を延設した板状の本体底面より、上面前後縁部に巻き付けられた清掃用シートの両縁部を、本体上に設けた固定手段により固定して、着脱可能に装着している。
【０００４】
また、この固定手段として、本体上面に設けた凹部上をスリット付きの頂板で被覆し、スリットを押し開いて押し込んだシートの一部を頂板下方へ突出させ、その突出部分の基端をスリットにより挟持して固定する如く構成している。
【０００５】
【発明が解決しようとする課題】
上記従来の清掃具では、スリットの形状を放射状の開き用スリットと、鋸歯状の保持用スリットを組み合わせて、シートの外れが無い様にシートの固定をより確実に行える如く構成しているが、各固定手段は、本体上面にスポット的に押し込んで固定するため、装着したシートに歪みが生じ易く、また、シートの取り付け、取り外しの際、スリットを強引に変形させて、押し込み或いは引き抜くため、度重なるシートの交換を行うとスリット部分に変形が生じて良好な保持性を得られなくなる虞がある。更に、シートの厚さが厚いものにあっては、スポット的に凹ますのが行い難く、厚手のシートの装着には不向きである。
【０００６】
本発明のこの様な点に鑑み、シートの装着を容易に、歪みがなく、しかも外れることなく強固に固定でき、また、シートの取り外しの際も簡単に行えるとともに、度重なるシートの交換を行っても、良好なシート保持性を維持でき、更に、厚手のシートも容易且つ強固に固定できる優れた清掃具を提案するものである。
【０００７】
また、構造が簡単で、組み付け操作も容易に行える利点を兼ね備えた清掃具を提案するものである。
【０００８】
【課題を解決するための手段】
上記課題を解決するため第１の手段として、板状の清掃具本体２上に清掃シート３を固定するシート固定部Ａが設置され、清掃具本体２の底面に巻き付けられた清掃シート３の端部をシート固定部Ａにて保持させる如く構成した清掃具に於いて、上記シート固定部Ａを、本体２上面前後縁部を横断して凹設した前後一対の凹溝ａと、清掃具本体２両側前後方向中央部に各々一端を枢着した回動側板6aの先端間に係止板6bを一体に掛け渡すとともに、各係止板6bにより凹溝ａ内にシート３の各先端部を押し込み挟持する如く構成してなる前後一対の係止腕６とで構成した。
【０００９】
また、第２の手段として、前記第１の手段に於いて、上記各係止板6bの下面をギザギザ凹凸部ｃに構成した。
【００１０】
また、第３の手段として、前記第１の手段に於いて、上記清掃具本体２上面中央部に立設した嵌合筒部５内に嵌合させ、且つ、外面を球面状に膨出形成させた円筒状の嵌合部11を下端に延設した柄４を設け、嵌合筒部５外周に嵌合させた周壁12上端縁より延設したフランジ状頂板13内周縁を、嵌合部11外面の上端より下方へ離間した位置に、嵌合部の抜け出しが不能に当接させ、且つ、頂板13内側面を上方へ広がるテーパ面ｅとしたキャップ10を設けた。
【００１１】
【発明の実施の形態】
以下、本発明の実施例の形態を図面を参照して説明する。
【００１２】
本発明の清掃具１は、板状の清掃具本体２上に清掃シート３を固定するシート固定部Ａが設置され、清掃具本体２の底面に巻き付けられた清掃シート３の端部をシート固定部Ａにて保持させる如く構成している。
【００１３】
清掃具本体２は、上面前後縁部を横断して凹設した前後一対の凹溝ａを設けており、上面中央には、柄４の基端部を嵌合させるための嵌合筒部５を立設している。この嵌合筒部５内には、下方へ突出する半球面状の底面ｂを延設している。
【００１４】
本発明に於けるシート固定部Ａは、上記各凹溝ａと、前後一対の係止腕６とから構成している。
【００１５】
各係止腕６は、本体両側前後方向中央部に各々一端を枢着した回動側板６ａの先端間に係止板６ｂを一体に掛け渡すとともに、各係止板６ｂにより凹溝ａ内にシート３の各先端部を押し込み挟持する如く構成している。図示例の係止板６ｂの下面はギザギザ凹凸部ｃに形成して、挟持したシート３の端部がより外れ難い様に構成している。
【００１６】
また、係止腕６の回動側板６ａ内面と、本体２外側面との間に凹凸係合手段Ｂを設け、シート３を挟持した状態で係止腕６を本体２に係止可能に構成している。図示例では、本体２外側面前後所定位置に縦断面半円状に突出する横長突条７を突設し、係止腕６の各回動側板６ａ内面所定位置に、各突条７が各々嵌合する横長凹部８を凹設している。また、各係止板６ｂの上面一部には、凹溝ａに嵌合した係止腕６を外す際に掴むための摘み９を各々突設している。
【００１７】
清掃シート３は、不織布，紙，合成樹脂等で形成された従来この種の清掃具に使用されているものが使用でき、清掃具本体２の底面に巻き付けて、その両端縁部を本体上面前後に於いて係止板６ｂにより凹溝ａ内に押し込み挟持する如く構成している。
【００１８】
また、清掃具本体２上面中央からは上方へ柄４を延設している。図示例に於ける柄４は、嵌合筒部５外面に嵌合させたキャップ１０により、嵌合筒部５内に嵌合させた嵌合部１１の抜け出し防止を図っている。嵌合部１１は、外面を球面状に膨出形成させた円筒状に構成しており、周方向複数の切り溝ｄを穿設して、キャップ１０のフランジ状頂板を強制的にその上方へ嵌入させる如く構成している。
【００１９】
キャップ１０は、嵌合筒部５外周に嵌合させた周壁１２上端縁より延設したフランジ状頂板１３内周縁を、嵌合部１１外面の上端より下方へ離間した位置に嵌合部１１の抜け出しが不能に当接させ、且つ、頂板１３内側面を上方へ広がるテーパ面ｅとして構成している。従って柄４は回動が可能で、また、図２に二点鎖線で示す如く、嵌合部１１上方の棒状部外周がテーパ面ｅに当接するまでの角度で、３６０°の方向に傾倒が可能となる如く構成している。
【００２０】
上記の如く構成した清掃具１は、例えば、清掃シート３の一端縁を一方の係止腕６により固定させた後、本体２下面を巻き回して他端縁を他方の係止腕６により固定させることにより、簡単に且つシートに歪みを生じさせることなく装着することができ、また、各係止腕６を持ち上げて極めて容易に取り外すことができる如く構成している。
【００２１】
尚、上記各部材は、特に断りの無い限り合成樹脂で形成すると良い。
【００２２】
【発明の効果】
以上説明した如く本発明清掃具は、既述構成としたことにより、清掃シート端縁全体を挟持固定させることができ、しかも、挟持固定は上方より全体を押圧する構造であるため、装着したシートに歪み等が生じることを極力防止でき、また、装着に当たっても、係止板を凹溝内に嵌合させるだけで良いため、極めて簡単に行えるものである。
【００２３】
また、シート固定部も単純構成で無理のない構造によりシートを固定しているため、耐久性に優れ、度重なるシートの交換を行っても、その保持力の低下は極めて少なく、良好なシート保持力を持続することができるものである。
【００２４】
更に、厚手のシートを装着しても確実にシートの固定を行える利点を兼ね備えている。
【００２５】
また、各係止板の下面をギザギザ凹凸部に構成してなるものにあっては、シートの端部をより確実に固定することができる利点を兼ね備えている。
【００２６】
また、清掃具本体上面中央部に立設した嵌合筒部内に嵌合させ、且つ、外面を球面状に膨出形成させた円筒状の嵌合部を下端に延設した柄を設け、嵌合筒部外周に嵌合させた周壁上端縁より延設したフランジ状頂板内周縁を、嵌合部外面の上端より下方へ離間した位置に、嵌合部の抜け出しが不能に当接させ、且つ、頂板内側面を上方へ広がるテーパ面としたキャップを設けてなるものにあっては、柄を極めて簡単に着脱することができ、しかも、柄は、回動可能で且つ３６０°の方向に傾倒することができという利点を兼ね備えている。
【図面の簡単な説明】
【図１】本発明の一実施例を示す斜視図である。
【図２】同実施例の要部縦断面図である。
【符号の説明】
２…清掃具本体，３…清掃シート，４…柄，５…嵌合筒部，６…係止腕，
６ａ…回動側板，６ｂ…係止板，１０…キャップ，１１…嵌合部，１２…周壁，
１３…頂板，Ａ…シート固定部，ａ…凹溝，ｃ…ギザギザ凹凸部，
ｅ…テーパ面
【図１】
0003627954.tif 000002
【図２】
0003627954.tif 000003